(57)【要約】【課題】  この発明は、身体接着テープを使用して、汗をかいても、汗臭さのしない、身体接着テープと、その製造方法を提供する事を目的としている。 【解決手段】  伸縮性基布２の一面に、銀粉等からなる消臭材３が付着され、かつ感圧接着剤層４が形成されている身体接着テープ１。    【選択図】    図１
2005095203.tif 000002
【特許請求の範囲】
【請求項１】
伸縮性基布の一面に、消臭材として銀粉が付着され、かつ、感圧接着剤層が一体に形成されている事を特徴とする身体接着テープ。
【請求項２】
前記、消臭材としての銀粉は、感圧接着剤層の上で基布の下に位置していることを特徴とする、請求項１に記載された身体接着テープ。 
【請求項３】
前記、消臭材としての銀粉は、感圧接着剤層の下で離形紙の上に位置していることを特徴とする、請求項１に記載された身体接着テープ。 
【請求項４】
前記、消臭材としての銀粉は、感圧接着剤層の中に混合されていることを特徴とする、請求項１に記載された身体接着テープ。  
【請求項５】
前記銀粉は、ゼオライト微粉末と混合状態であることを特徴とする、請求項１〜４のいずれかに記載された身体接着テープ。
【請求項６】
前記銀粉は、ゼオライト結晶の孔に詰装された状態であること、を特徴とする、請求項１〜４のいずれかに記載された身体接着テープ。
【請求項７】
伸縮性基布の一面に、消臭材としてゼオライト微粉末が付着され、かつ感圧接着剤層が形成されていることを特徴とする、身体接着テープ。
【請求項８】
前記ゼオライト微粉末の孔には、香料が詰装されていることを特徴とする、請求項７に記載された身体接着テープ。  
【請求項９】
離形紙上面に、感圧接着剤層を形成する工程と、感圧接着剤層の上面に、消臭材を付着させる工程と、その上に基布を被着し一体にする工程との結合からなることを特徴とする、身体接着テープの製造方法。
【発明の詳細な説明】
【技術分野】
【０００１】
本発明は、身体接着テープ並びに製造方法に係り、特に、汗をかいても消臭効果、殺菌効果のある身体接着テープと、その製造方法に関する。
【背景技術】
【０００２】
従来、身体の一部に接着して使用する身体接着テープは、例えばキネシオテックス（商標）が広く知られている。 前記身体接着テープは、伸縮性のある基布に、感圧接着剤が塗着されている。   
【発明の開示】
【発明が解決しようとする課題】
【０００３】
前記身体接着テープは、例えばスポーツをする場合、あるいは治療にあたって、身体の必要箇所に接着されるが、身体に汗をかくと、基布に汗が付着したまま乾燥し、汗臭くなるという問題がある。また汗で湿って細菌が付着すると、汗に含まれて排出された物質が、細菌により腐敗して、臭いを発するという問題がある。
【０００４】
この発明は、それらの実情に鑑みて、身体接着テープを使用して汗をかいても、汗臭さのしない、身体接着テープと、その製造方法を提供する事を目的としている。
【課題を解決するための手段】
【０００５】
この発明は、前記課題を解決し目的を達成するために、身体接着テープに殺菌性、消臭性のある銀粉、ゼオライト粉等の消臭材を付着させた。発明の具体的な内容は次の通りである。
【０００６】
(1)  伸縮性基布の一面に、消臭材として銀粉が付着され、かつ、感圧接着剤層が一体に形成されている身体接着テープ。
【０００７】
(2)  前記、消臭材としての銀粉は、感圧接着剤層の上で基布の下に位置している、前記(1)に記載された身体接着テープ。 
【０００８】
(3)  前記、消臭材としての銀粉は、感圧接着剤層の下で離形紙の上に位置している、前記(1)に記載された身体接着テープ。 
【０００９】
(4)  前記、消臭材としての銀粉は、感圧接着剤層の中に混合されている、前記(1)に記載された身体接着テープ。  
【００１０】
(5)  前記銀粉は、ゼオライト微粉末と混合状態である、前記(1)〜(4)のいずれかに記載された身体接着テープ。
【００１１】
(6)  前記銀粉は、ゼオライト結晶の孔に詰装された状態である、前記(1)〜(4)のいずれかに記載された身体接着テープ。
【００１２】
(7)  伸縮性基布の一面に、消臭材としてゼオライト微粉末が付着され、かつ感圧接着剤層が形成されている、身体接着テープ。
【００１３】
(8)  前記ゼオライト微粉末の孔には、香料が詰装されている、前記(7)に記載された身体接着テープ。  
【００１４】
(9)  離形紙上面に、感圧接着剤層を形成する工程と、感圧接着剤層の上面に、消臭材を付着させる工程と、その上に基布を被着し一体にする工程との結合からなる、身体接着テープの製造方法。
【発明の効果】
【００１５】
本発明によると次のような効果がある。
【００１６】
(1)  請求項１に記載された発明の身体接着テープは、基布に銀粉が付着され、銀粉の基布に対面する面は、基布が濡れた時は水分で濡れる。身体にテープを貼着して、汗をかいた場合、感圧接着剤層の通気間隙から浸みた汗は基布に浸みる。基布に浸みた汗の水分が銀粉に付くと、銀イオンが消臭作用をする効果がある。また細菌が付着しても、銀イオンにより殺菌され、細菌の繁殖による腐敗臭を抑制させる効果がある。
【００１７】
(2)  請求項２に記載された発明の身体接着テープは、銀粉が接着剤層の上で基布の下なので、銀粉が散逸する事はなく、基布に浸みた汗の水分と作用して銀粉が消臭、殺菌作用をすることができる効果がある。
【００１８】
(3)  請求項３に記載された身体接着テープは、銀粉が接着剤層の下で離形紙の上なので、離形紙を剥離して身体に接着させると、銀粉が直に身体に接触し、汗と反応する効果がある。
【００１９】
(4)  請求項４に記載された身体接着テープは、銀粉などの消臭材が接着剤層の中に混合されているので、作業性に優れている。消臭材の粒子が大きければ、消臭材は、一部を接着剤層から基布中に突出させ、汗の水分による反応が容易に生じる。
【００２０】
(5)  請求項５に記載された発明の身体接着テープは、銀粉とゼオライト微粉末とが混合状態で基布に付着されているので、銀イオンの作用のほかに、ゼオライトの吸湿性、吸臭性を併用することができる効果がある。
【００２１】
(6)  請求項６に記載された発明の身体接着テープは、ゼオライトの孔に銀粉が詰装された状態なので、微細な銀粉が集合状になり、汗の接触面積を大きくすることができる効果がある。
【００２２】
(7)  請求項７に記載された身体接着テープは、ゼオライト微粉末が基布に付着されているので、汗等の臭気をゼオライトの孔で吸着して、消臭することができるほか、吸湿性があるため、汗をかいても、基布を早く乾燥させることができる効果がある。
【００２３】
(8)  請求項８に記載された身体接着テープは、基布に付着されたゼオライト粉の孔に、香料が詰装されているので、身体にテープを接着しているとき、香料により汗臭さを抑制することができる効果がある。また、ゼオライト粉は、感圧接着剤層の上に散布されて、その表面は接着材で被覆されないので、香料は基布方向へ匂う効果がある。
【００２４】
(9)  請求項９に記載された発明の身体接着テープは、離形紙の上の感圧接着剤層の上に消臭材を接着させるため、消臭材の一部が接着剤から露出して、基布と対面しているので、消臭材の作用を低下させない、身体接着テープを製造することができる効果がある。
【発明を実施するための最良の形態】
【００２５】
身体接着テープに銀粉、ゼオライト粉等の消臭材を付着させて、その上から感圧接着剤層で被覆し一体に形成する。
【実施例１】
【００２６】
本願発明の実施の形態例を、図面を参照して説明する。図１は本発明に係る身体接着テープの要部側面図である。
図１において、身体接着テープ(1)は、基布(2)として、縦方向に伸縮する伸縮布が使用されている。幅は例えば３ｃｍ、５ｃｍ，７ｃｍ等で、長さは任意として丸巻きにされ、使用時に必要な長さに裁断される。
【００２７】
基布(2)の１面（図では下面）に、微細（０．５μｍ〜３００μｍ）な銀粉からなる消臭材(3)が無数に付着されている。
該銀粉(3)は、別途、あらかじめ用意された、離形紙(5)の上面に形成された感圧接着剤層(4)の表面に、噴霧器等により、平均的に銀粉(3)を噴霧して付着されている。
この感圧接着剤層(4)の上に、基布(2)を載置して加圧し、一体に形成することによって、身体接着テープ(1)が形成される。
【００２８】
これによって、基布(2)の１面に、感圧接着剤層(4)が形成されると同時に、銀粉(3)が基布(2)に付着され、かつ銀粉(3)は脱落することがない。
この場合、銀粉(3)は、感圧接着剤層(4)の上に噴霧されるので、銀粉(3)の上面には接着剤が付着されない。
【００２９】
その状態で、上に基布(2)が載置されて一体に形成されるので、基布(2)と銀粉(3)との間には、接着剤が介在されない。前記銀粉(3)の噴霧は、全面均等でもよく、また穴あき型紙を当てて、銀粉(3)を例えば縞状、格子状、市松模様状、水玉模様状などに形成することができる。
【００３０】
該感圧接着剤層(4)の材質は、例えば身体に優しいアクリル系の樹脂に、伸び率をよくするためにオリーブ油、リノール油などを含ませたものを使用する事ができ、例えば離型紙(5)にローラ塗着などをしておく。使用時には、離型紙(5)を剥離すると、感圧接着剤層(4) が露出するので、身体の所望部分に貼着させることができる。
【００３１】
例えばスポーツ前に、脚、腰、腕、背中など所望の位置に、適当な長さ（例えば２０ｃｍ〜３０ｃｍ）に裁断した身体接着テープ(1)を、貼着して運動をする。
汗をかいたとき、汗は感圧接着剤層(4)の通気間隙(4a)から基布(2)に浸み込む。その水分が銀粉(3)に接触すると、銀イオンの発生により、汗臭さに対する消臭作用がある。
また汗に含まれている有機物に細菌が付着しても、銀イオンによる殺菌作用があり、腐敗臭が生じにくい。
【実施例２】
【００３２】
図２は、本発明第２実施例の身体接着テープに使用する消臭材(6)の模式図である。前例と同じ部位には、同じ符号を付して説明を省略する。この消臭材(6)はゼオライト微粉末(6)である。
ゼオライトは、アルミニウム含水ケイ酸塩鉱物で、結晶中に３〜１５オングストロームの、一定の大きさの孔を無数に持っているので、吸湿性、吸臭性に優れている。
【００３３】
従って、前例と同様に、離形紙(5)の上に形成された感圧接着剤層(4)の上に、ゼオライト微粉末(6)を散布して付着させる。この上に基布(2)を載置して加圧し、一体に形成して身体接着テープ(1)を得る。
【００３４】
使用時には、身体接着テープ(1)の離形紙(5)を剥離して、身体の一部に貼着する。汗をかいた場合、感圧接着剤層(4)の通気間隙(4a)から、基布(2)に浸みた汗の水分を、ゼオライト微粉末(6)の孔(6a)が吸湿、吸臭して、基布(2)の乾燥が早くなり、臭いも吸うので臭いがしにくくなる。
【００３５】
また身体接着テープ(1)の基布(2)が乾燥していると、細菌が付着しても、繁殖しにくいため腐敗臭が生じにくい。
この第２実施例では、前記銀粉(3)とゼオライト微粉末の消臭材(6)とを、適宜配合比で混合させることができる。
【実施例３】
【００３６】
図３は、本発明第３実施例身体接着テープ(1)に使用する消臭材の模式図である。前例と同じ部位には、同じ符号を付して説明を省略する。
この消臭材(6)は、図示するように、ゼオライト微粉末(6)と銀粉(3)とを混合して、ゼオライト微粉末の孔(6a)に、銀粉(3)を詰装させたものである。
【００３７】
これにより、ゼオライト微粉末(6)の多数の孔(6a)に、微細な銀粉(3)が詰装されるため、汗が接蝕する銀粉(3)の面積が増大し、消臭作用を向上させることができる。同時にゼオライトの多数の孔(6a)の吸臭力を活用させることができる。
【実施例４】
【００３８】
図４は、本発明の第４実施例を示す身体接着テープの側面図である。前例と同じ部位には同じ符号を付して説明を省略する。この第４実施例では、離形紙(5)の上に消臭材(3)を散布して、その上にローラで感圧接着剤層(4)を形成し、その上に伸縮性基布(2)を重合一体とし、身体接着テープ(1)に形成されたものである。
使用時に身体接着テープ(1)から離形紙(5)を剥離して身体に接着させると、消臭材(3)が直接身体に接することになり、汗をかくと、すぐに消臭材(3)が作用する。
【実施例５】
【００３９】
図５は、本発明の第５実施例を示す身体接着テープの側面図である。前例と同じ部位には同じ符号を付して説明を省略する。この第５実施例では、感圧接着剤層(4)の中に消臭材(3)を混合して、離形紙(5)の上に塗布して、その上に伸縮性基布(2)を重合し、身体接着テープ(1)に形成されたものである。
【００４０】
感圧接着剤層(4)の厚さは４０〜６０μｍ程度なので、例えば３０μ〜１００μの消臭材(3)は、感圧接着剤層(4)を離形紙(5)の上に形成して、基布(2)を重ねたとき、消臭材(3)の一部は基布(2)内に突出した態様になる。これによって、基布(2)に浸みた汗の水分が消臭材(3)に作用することによって、消臭、殺菌作用が生じる。
【００４１】
この発明は、前記実施例に限定されるものではなく、目的に沿って設計変更をさせることができる。たとえば、ゼオライト微粉末の孔(6a)に香料を含着させることができる。これによって、身体接着テープ(1)を身体に接着しておき、汗をかいても、香料が汗臭さを抑制する。
【００４２】
前記銀粉、ゼオライト微粉末等の消臭材は、溶剤で稀釈した接着剤の中に入れ、基布(2)に噴霧して付着させることができる。その上面に、感圧接着剤層(4)の形成された離形紙(5)を被着することによって、消臭材(3)の離脱が防止される。
【産業上の利用可能性】
【００４３】
この発明は、スポーツ用接着サポータに使用するとき、汗臭さを抑制することができる。また医療用接着サポータとして使用することができる。
【図面の簡単な説明】
【００４４】
【図１】本発明に係る第１実施例を示す身体接着テープの要部側面図である。
【図２】本発明に係る第２実施例に使用する消臭材の模式図である。
【図３】本発明に係る第３実施例に使用する消臭材の模式図である。
【図４】本発明に係る第４実施例を示す身体接着テープの要部側面図である。
【図５】本発明に係る第５実施例を示す身体接着テープの要部側面図である。
【符号の説明】
【００４５】
(1)身体接着テープ
(2)基布
(3)消臭材（銀粉）
(4)感圧接着剤層
(4a)通気間隙
(5)離形紙
(6)消臭材（ゼオライト粉末）
(6a)孔
【図１】
2005095203.tif 000003
【図２】
2005095203.tif 000004
【図３】
2005095203.tif 000005
【図４】
2005095203.tif 000006
【図５】
2005095203.tif 000007